(57)【要約】      （修正有）【課題】製造が単純化され且つ取扱いが改良されるボールキャッチを提供する。【解決手段】２つのバネ荷重ボールを備えるキャッチハウジング２６と、中心化部分２とを有し、バネ荷重ボールは、バネ荷重の下でキャッチハウジング内で移動可能であり、キャッチハウジングの２つの対向して位置するソケット９内に支持され、ソケット間の中間受入空間内に正反対に突出し、中心化部分は、その上に一体的に形成されるジャーナルと共に、受入空間内に挿入可能であり、その場所でボールによって係止可能であり、ボール及び圧縮バネ６のためのボールガイド４が、別個の部品としてキャッチハウジング２６内に挿入される構成とした。【選択図】図１
2018112058.tif 000002
【特許請求の範囲】
【請求項１】
２つのバネ荷重ボールを備えるキャッチハウジングと、中心化部分とを有し、前記バネ荷重ボールは、バネ荷重の下で前記キャッチハウジング内で移動可能であり、前記キャッチハウジングの２つの対向して位置するソケット内に支持され、該ソケットの間の中間受入空間内に正反対に突出し、前記中心化部分は、その上に一体的に形成されるジャーナルと共に、前記受入空間内に挿入可能であり、その場所で前記ボールによって係止可能であり、前記ボール及び圧縮バネのためのボールガイドが、別個の部品として前記キャッチハウジング内に挿入されることを特徴とする、ボールキャッチ。
【請求項２】
前記ボールガイドは、スリーブ形状部分として設計され、該スリーブ形状部分には、ほぼ円筒形プロファイルを有するボアホールが、ボールガイド通路として設けられることを特徴とする、請求項１に記載のボールキャッチ。
【請求項３】
ベースプレートが、前記ボールガイドのスリーブ本体に一体的に形成されることを特徴とする、請求項２に記載のボールキャッチ。
【請求項４】
前記ボールガイドは、前記キャッチハウジングの締付け平面の側面から、該締付け平面に向かって開放している前記キャッチハウジングにあるスロット内に挿入可能であることを特徴とする、請求項１乃至３のうちのいずれか１項に記載のボールキャッチ。
【請求項５】
前記ボールガイドは、前記圧縮バネ及び前記ボールを受け入れる円筒形のボールガイド通路を有し、該ボールガイド通路は、前記受入空間に面するその端で、前記ボールよりも小さい直径を有し、且つ、前記ボールが前記受入空間内に部分的にのみ突出することを可能にする、狭窄部を有することを特徴とする、請求項１乃至４のうちのいずれか１項に記載のボールキャッチ。
【請求項６】
前記ボールガイドは、そのベース領域に、前記キャッチハウジング上の前記ソケットにある前記スロット内の対応する支持面に位置する、少なくとも１つのタブと、前記キャッチハウジング上で中心化される少なくとも１つのウェブとを有することを特徴とする、請求項１乃至５のうちのいずれか１項に記載のボールキャッチ。
【請求項７】
前記ボールガイドは、前記ソケットにある前記スロット内に押込み可能であることを特徴とする、請求項１乃至６のうちのいずれか１項に記載のボールキャッチ。
【請求項８】
前記キャッチハウジング内で前記ボールガイドを横方向に支持する小さな圧入リブが、前記ボールガイドの側面に一体的に形成されることを特徴とする、請求項１乃至７のうちのいずれか１項に記載のボールキャッチ。
【請求項９】
前記ボールガイドは、プラスチックで作られることを特徴とする、請求項１乃至８のうちのいずれか１項に記載のボールキャッチ。
【請求項１０】
前記ボールガイドは、金属で作られることを特徴とする、請求項１乃至９のうちのいずれか１項に記載のボールキャッチ。
【発明の詳細な説明】
【技術分野】
【０００１】
本発明の主題は、請求項１の前文に従ったボールキャッチに関する。
【背景技術】
【０００２】
ボールキャッチは、互いに対して移動可能な２つのコンポーネントのための係止装置として使用され、例えば、特許文献１に開示されている。本明細書に記載するボールキャッチは、一体的に形成されるジャーナルを備える中心化部分と、キャッチハウジングとで構成され、キャッチハウジングは、ジャーナルを取り囲み、よって、２つのコンポーネントを互いに係止する。
【０００３】
コンポーネントは、それぞれ、長方形の細長い取付けプレートを有し、その端区画には、締付けネジのための貫通ボアホールが形成される。
【０００４】
これらのボアホールは、個々のコンポーネントを締付け面、例えば、キャビネットのドア及び本体に締め付けるために使用される。キャッチハウジングは、取付けプレートの上に一体的に形成された、２つの離間した相互に整列させられたソケットで構成される。ソケット間の領域は、中心化部分のジャーナルが挿入され且つ係止されてよい受入空間として使用される。
【０００５】
ボールがソケットの各々の中に位置付けられるので、合計２つのボールが存在する。ボールはソケット内に拘束的に位置付けられるが、軸方向に移動可能であり、受入空間内に部分的に延びる。いずれの場合にも、ソケットを閉塞する圧縮バネ及び調整ネジがソケット内のボールに隣接する。よって、圧縮バネは、ボール及び調整ネジ上で支持される。ボールに対する圧縮バネの圧縮力は、調整ネジで調整されてよい。よって、レセプタクルと係合する中心化部分のジャーナルのために受入空間内で作用する係止力は変更されてよい。
【０００６】
中心化部分は、取付けプレートと、取付けプレート上に垂直に一体的に形成されるジャーナルとで構成され、ジャーナルは、本質的に長方形の断面領域を有する。取付けプレートから見て外方を向くジャーナルの端には、厚肉領域が第１の部分的な装置にあるレセプタクル内に挿入されることがあり、且つ、ボールが厚肉領域の後で係合して隣接する突起に圧入することがあるような方法において、厚肉領域が形成される。よって、中心化部分はキャッチハウジングに係止され、或いは、逆もまた同様である。
【０００７】
そのような装置は、一般的には、２つの取付けプレートが互いに平行に延びるような方法において構成される。しかしながら、中心化部分及びキャッチハウジングは、接合させられるときに、２つのコンポーネントが、例えば、互いに対して直角に位置付けられることもあるような方法において、設計される。
【０００８】
従来技術から知られるボールキャッチによるならば、個々の圧縮バネの調整ネジが常に外側から見えるという欠点がある。加えて、プレテンションのかけられた圧縮バネは、ボールと共に、調整ネジが緩められ且つ取り外されるときに、制御されない方法においてハウジングから落ちる。
【先行技術文献】
【特許文献】
【０００９】
【特許文献１】独国特許出願公開第１９９１１２７５Ａ１号明細書
【発明の概要】
【発明が解決しようとする課題】
【００１０】
本発明の目的は、冒頭で述べた種類のボールキャッチを、その製造が単純化され且つその取扱いが改良されるような方法において改良することである。
【課題を解決するための手段】
【００１１】
重要な構成は、それぞれのボール及び関連する圧縮バネが、締付け面の方向からソケット内のスロット内に下から挿入可能である、別個のボールガイド内で支持され、そして、そこから、ボールがソケットから受入空間内に入り、中心化舌(centering  tongue)のジャーナルに正反対に作用することである。
【００１２】
主請求項の特徴的な構成を有する本発明に従ったボールキャッチは、使用のためのより柔軟な可能性が提供されることがあるという利点を有する。よって、別個の挿入部品として設計されるボールガイドは、キャッチハウジングの材料と異なる様々な材料で作られてよい。よって、キャッチハウジングのより費用効果的な製造が可能である。何故ならば、金属材料の有意な部分が節約されることがあるからである。
【００１３】
摩耗の場合、挿入部品は、キャッチハウジング全体を交換せずに簡単に交換される。
【００１４】
ボールガイドがプラスチック材料で作られるとき、プラスチックは、ガイドに移動可能に位置付けられるボール及びバネを支持するガイド内の長期的な潤滑を保証するために、摩擦軽減添加物を備えてよい。
【００１５】
別個の挿入部品は容易に交換可能であり、様々なプロファイルを有するボールガイドボアホールが使用されてよい。
【００１６】
第１のボールガイドをボールガイド通路の軸方向長さが短くされた第２のボールガイドと交換する結果として、弾性力は、調整ネジを必要とせずにより高い圧力値に恒久的に設定されることがある。
【００１７】
しかしながら、ボールガイド内に調整ネジを提供することも排除されない。
【００１８】
目障りなネジが見えることなく、ボールが圧縮バネと共に容易に取り外し可能である点において、更なる利点が見られる。本発明の有利な実施形態及び改良が、従属項から明らかである。
【００１９】
１つだけのボールガイドを以下に記載するが、本発明はそれに限定されない。２つのボールガイドが二重ボールキャッチのために使用されるのが好ましい。
【００２０】
代替的に、２つの連続的なボールガイドがキャッチハウジング内に挿入されてよい。これらの連続的なボールガイドは単一のコンポーネントとして製造されてよい。
【００２１】
ボールガイドは、常に提供されなくてよい。ハウジングは、何らかの他の種類の設計を有してもよく、例えば、雌ネジ山又は同等物に順応し得る。
【００２２】
本発明に従ったボールガイドは、好ましくは、プラスチックで作られるが、例えば、金属材料のような、他の材料が用いられてよい。ボールガイドは、好ましくは、貫通穴として設計された、円筒形のボールガイド通路を有し、ボールガイド通路内には、圧縮バネ及びボールが収容される。ボールガイド通路は、受入空間に面するその側に狭窄部を有し、貫通穴の直径の狭小化を伴う。反対側から挿入されるボールは、ボールよりも小さな直径を有する狭窄部の故に保持されるので、ボール表面の一部のみが、受入空間内に突出する。ボールは、受入空間内に挿入されるジャーナルを固定するために、圧縮バネによって狭窄部に対して押される。狭窄部とは反対側の開放の円筒形のボールガイド通路の側で、圧縮バネは、ボールガイドが挿入されたソケットの閉塞壁に当接する。
【００２３】
本発明の他の実施形態では、圧縮バネは、受入空間から見て外方を向くボールガイド通路の側で調整ネジによって保持され、それはネジを受入空間内に螺入することによってボールに対する圧縮バネの圧縮力を調整するこの調整ネジの結果として可能である。この目的のために、ボールガイドはソケットから取り外され、バネは調整され、ボールガイドはソケット内に戻される。
【００２４】
バネプレテンション(spring  pretensioning)はハウジングを修正することによっても起こるので、調整ネジは絶対的に必要でない。
【００２５】
本発明の他の実施形態では、円筒形のボールガイド通路は、受入空間に面する側でだけ開放しており、圧縮バネは、受入空間から見て外方を向くボアホールのベースの側面に当接する。この場合、ボールガイドは金属で作られ、狭窄部は円筒形のボールガイド通路を圧縮することによって達成される。
【００２６】
ソケット内に挿入されるボールガイドは、フランジの下面と面一の整列（アライメント）において終端し、よって、キャッチハウジングの装着中に取付け面に位置する。しかしながら、本発明はそれに限定されない。ボールガイドは、ソケット内に押し込まれて、そのように構築される形態適合(form-fit)接続によってソケット内に固定されてよく、もはや取付け面によって支持されなくてよい。
【００２７】
ボールガイドは、ソケット内のスロットに形成される凹部内に形成される、支持面と係合するそのベース領域上のウェブ及びタブを有し、その場合、それらはソケット内のボールガイドの安全な支持を保証する。
【００２８】
本発明の主題は、個々の特許請求項の主題に由来するのみならず、個々の特許請求項の互いの組み合わせにも由来する。
【００２９】
全ての記述及び構成、具体的には、要約を含む本文献中で開示される、図面中に例示される空間的な構成は、単独で或いは組み合わせにおいて、それらが従来技術に対して新規である限り、本発明にとって本質的であるとして請求される。
【００３０】
個々の主題が「本発明にとって本質的」又は「重要」であると言及されるとき、これはこの主題が独立項の主題を必ず形成しなければならないことを意味しない。これは独立特許請求項の各場合における適用可能な系統的表現(formulation)によってのみ決定される。
【００３１】
本発明は、１つだけの実施アプローチを例示する図面を参照して、以下により詳細に説明される。本発明の更なる重要な構成及び利点は、図面及びそれらの記載から生じるであろう。
【図面の簡単な説明】
【００３２】
【図１】ボールキャッチの断面的な例示を示している。
【図２】ボールガイドの図を示している。
【図３】中心化部分が９０°だけ回転させられた状態の開放状態にあるボールキャッチの斜視図を示している。
【図４】閉塞状態にあるボールキャッチの斜視図を示している。
【図５】キャッチハウジングの斜視図を示している。
【図６】キャッチハウジングの断面的な例示を示している。
【図７】キャッチハウジングの底面図を示している。
【図８】ボールガイドの斜視図を示している。
【図９】キャッチハウジング（調整能力を備えるピンバージョン）の断面的な例示を示している。
【図１０】ピン設計における圧力嵌めバージョンにおけるキャッチハウジングの断面的な例示を示している。
【図１１】ボールキャッチの断面的な例示を示している。
【発明を実施するための形態】
【００３３】
図１及び図１１によれば、本発明のボールキャッチ１は、一体的に形成されたジャーナル１３を備える取付けプレート１１で構成された中心化部分２によって特徴付けられている。ジャーナル１３は、取付けプレート１１から見て外方を向く端に厚肉領域１４を有する。この厚肉領域は、ボール５が厚肉領域１４の後にある隣接する凹部２８と係合するのを可能にする。
【００３４】
中心化部分２は、中心化部分２を取付け面（図示せず）に締め付けるために使用される、その取付けプレート１１にあるボアホール１２も有する。中心化部分２は、矢印方向２７において、キャッチハウジング２６内に挿入される。
【００３５】
キャッチハウジング２６は、対向して位置付けられる２つのソケット９によって形成され、各ソケット９は、対向して面する窓１７を有する。加えて、キャッチハウジング２６は、ソケット又はハウジング壁３に一体的に形成される、ボアホール８を備える取付けプレート７を有する。ボアホール８は、キャッチハウジング２６を取付け面（図示せず）に取り付けるために使用される。
【００３６】
ボールガイド４が、ソケット９内に位置付けられ、各ボールガイド４は、円筒形のボールガイド通路２５内に圧縮バネ６及びボール５を収容する。ボールガイド４は、ボール５の少なくとも１／４がキャッチハウジング２６の窓１７からキャッチハウジング２６の受入空間１０内に突出するような方法において、ボール５及び圧縮バネ６と共に、キャッチハウジング２６内に挿入される。いずれの場合にも、円筒形のボールガイド通路２５の狭窄部２９は、個々のボール５が、軸方向に作用する圧縮バネ６の弾性力の故に、受入空間１０内に転がり込むのを防止する。何故ならば、狭窄部２９は、ボール断面と比べて減少させられた断面を有するからである。このようにして、ボール本体の部分のみが、ソケット９の間の受入空間１０内に突出する。
【００３７】
中心化部分２のジャーナル１３は、矢印方向２７においてキャッチハウジング２６の受入空間１０内に挿入可能であり、受入空間１０内に突出するボール５によって係止可能（ロック可能）である。
【００３８】
この設計において、ジャーナル１３は、１８０°の範囲内でキャッチハウジング２６内に挿入可能であってよい。しかしながら、より小さな又はより大きな範囲をカバーするバージョンを実施することも考えられる。
【００３９】
図３及び図４に従った中心化部分２が矢印方向２７においてキャッチハウジング２６内に今や挿入されると、ボール５は厚肉領域１４によって軸方向において移動させられ、個々のボールが厚肉領域を過ぎた後に、厚肉領域の後にあるジャーナル１３内の隣接する凹部２８内にスライドする。よって、中心化部分２は、キャッチハウジング２６内に係止される。
【００４０】
図２は、好ましくは塑性体(plastic  body)で作られる、本発明に従ったボールガイド４を示しており、圧縮バネ６及びボール５がボールガイド４内に取り付け可能である。ボールガイド４は、そのベース領域２０にある少なくとも１つのウェブ２１及び少なくとも１つのタブ２２も有する。ボールガイド４が（図５に従った）矢印方向２４においてキャッチハウジング２６内に今や挿入されると、少なくとも１つのウェブ及び少なくとも１つのタブ２２は、キャッチハウジング２６内の対応する支持面と接触するようになる。この場合、少なくとも１つのタブ２２は、支持面１６の上に位置し、少なくとも１つのウェブ２１は、支持面１５の上に位置する。
【００４１】
よって、ボールガイド４は、常に正しい位置に挿入される（ポカヨケ(poka-yoke)）。
【００４２】
ソケット９は、スロット１９を有し、スロット１９は、取付けプレートの方向において底でのみ開放しており、いずれの場合においても、個々のボール５がキャッチハウジング２６から受入空間１０内に突出するのを可能にする窓１７を有する。
【００４３】
図３及び図４によれば、キャッチハウジング２６は、従来技術に従って知られているように、ソケット９への外部ネジ接続を有さないので、ソケット９の外側は、窓１７を除いて完全に閉塞されている。ボールガイド４及びボールガイド４から受入空間１０内に突出するボール５は、窓１７内で明らかである。
【００４４】
図５は、ボールガイド４が挿入されていない状態のキャッチハウジング２６の斜視図を示しており、キャッチハウジング２６が、ウェブ２１を支持する支持面１５と、ボールガイドのタブ２２を支持するために使用される支持面１６とを有することが、明らかである。中心化部分２を受け入れる受入空間１０は、個々のソケット９の間に存在する。製造プロセス中に機械からコンポーネントを排出するために使用される排出穴１８が、キャッチハウジングのベース面で明らかである。
【００４５】
図６は、ボールガイドが装着されていない状態のキャッチハウジング２６の断面的な例示を示している。ここでは、キャッチハウジング２６の中間領域２３にある支持面１５の設計が明らかである。同時に、この中間領域２３は、キャッチハウジングの取付け面の方向において受入空間１０を境界付ける。受入空間１０は、それぞれ、対向して位置付けられる窓１７を有し、窓１７は、ボールガイド４内に支持されるボールが受入空間１０内に突出するのを可能にする。
【００４６】
従って、個々の受入空間１９の受入領域でタブ、ウェブ、及び圧入リブを介して安全に支持されるボールガイド４は、矢印方向２４においてキャッチハウジング２６内に挿入される。
【００４７】
図７は、フランジ７と共に、キャッチハウジング２６の底面図を示している。開始領域で、支持面１５，１６がスロット１９の両側に配置されている。ウェブ２１のための支持面１５は、中間領域２３によって互いに離間している。スロット１９の外側隅領域にある支持面１６は、半円形プロファイルを有する。キャッチハウジングを取付け面に締め付けるためのボアホール８が、フランジ７の側方領域の各々に設けられている。
【００４８】
図８は、ベース面２０に一体的に形成されたウェブ２１及び２つのタブ２２並びにボールガイド通路２５を備える、ボールガイド４の斜視図を示している。ボールガイド４をキャッチハウジング２６内に安全に保持する小さな圧入リブ２９がボールガイド４の両側に位置する。狭窄部２９も明らかである。
【００４９】
図９は、キャッチハウジング２６と、キャッチハウジング２６の対向して位置する２つのソケット９内に支持され、ソケット９の間の中間受入空間１０内に正反対に突出する、キャッチハウジング２６内の２つのバネ荷重ボールピン３１とを有する、本発明の他の実施形態を示している。ここでも、ボールピン３１、圧縮バネ６、及び調整ネジ３２のためのボールガイドは、キャッチハウジング２６内に挿入される。ここに示す実施形態において、ボールピン３１は、その上に一体的に形成された、ボール形状のヘッド部分で構成され、ボールピン３１は、ボールピン３１を用いて受入空間１０内に突出する。ボールピン３１を受入空間１０の方向に押す圧縮バネ６は、ボールガイド４内に支持される。
【００５０】
図１０は、キャッチハウジング２６と、バネ荷重の下でキャッチハウジング２６内で移動可能であり、キャッチハウジング２６の２つの対向して位置するソケット９内に支持され、ソケット９の間の中間受入空間１０内に正反対に突出する２つのボールピン３１とを有する、本発明の他の実施態様を示している。ここでも、ボールピン３１及び圧縮バネ６のためのボールガイド４は、別個の部品としてキャッチハウジング２６内挿入されるが、圧縮バネ６及びボールピン３１は、雄ネジ山３４を有するスリーブ３３内で支持され、スリーブ３３は、雄ネジ山３４を用いてボールガイド４内に螺入可能である。圧縮バネ６を支持するネジ山付きピン３２が、ボールピン３１とは反対のスリーブ３３の端で挿入される。ネジ山付きピン３２は、六角穴(hexagon socket)を有し、スリーブ３３は、ツールを使用して、六角穴を介してボールガイド４内に螺入させられてよい。ここに示す実施態様において、ボールピン３１は、スリーブ３３と、その上に一体的に形成されたボール形状の頭部とで構成され、ボール形状の頭部を用いて、ボールピンは、受入空間１０内に突出する。ボールピン３１を受入空間１０の方向に押す圧縮バネ６の部分は、スリーブ３３内で支持される。加えて、ある種類のシステムインサート、即ち、雄ネジ山３４を備えないが、一体的なバネ６、ネジ山付きピン３２、及びボールピン３１を有するスリーブを、ボールガイド４内に挿入することができることも考えられる。
【００５１】
上述の記述は、常に対にされた設計に言及している。即ち、２つの挿入されるボールガイド４が常に想定されている。しかしながら、記載する実施形態を片側(“one-sided”)バージョンにおいてのみ実施することも考えられる。
【００５２】
即ち、弾性要素は片側にのみ装着され、ある種のガイド面が反対側に存在する。よって、存在する弾性力を用いて、ボール５又はボールピン３１は、一方の側に相応して形成され且つ１つの凹部２８を有するジャーナル１３を側方に押しやることはできない。よって、キャッチのための力の半分が生来的に予期される。
【００５３】
ジャーナル１３が適切に安定した設計を有するとき、ジャーナル１３のためのガイド面をもはや必要としない片側バージョンも考えられる。もちろん、その場合には、片側キャッチハウジング２６も必要でない。
【符号の説明】
【００５４】
１    ボールキャッチ(ball  catch)
２    中心化部分(centering  part)
３    ハウジング壁(housing  wall)
４    ボールガイド(ball  guide)
５    ボール(ball)
６    圧縮バネ(compression  spring)
７    取付けプレート(mounting  plate)
８    ボアホール(borehole)
９    ソケット(socket)
１０  受入空間(receiving  space)
１１  取付けプレート(mounting  plate)
１２  ボアホール(borehole)
１３  ジャーナル(journal)
１４  厚肉領域(thickened  area)
１４  支持面(support  surface)
１６  支持面(support  surface)
１７  窓(window)
１９  スロット(slot)
２０  ベースプレート(base  plate)
２１  ウェブ(web)
２２  タブ(tab)
２３  中間領域(middle  area)
２４  矢印方向(arrow  direction)
２５  ボールガイド通路(ball  guide  channel)
２６  キャッチハウジング(catch  housing)
２７  矢印方向(arrow  direction)
２８  凹部(depression)
２９  狭窄部(constriction)
３０  圧入リブ(press-in  ribs)
３１  ボールピン(ball  pin)
３２  ネジ山付きピン(threaded  pin)
３３  スリーブ(sleeve)
３４  雄ネジ山(male  thread)
【図１】
2018112058.tif 000003
【図２】
2018112058.tif 000004
【図３】
2018112058.tif 000005
【図４】
2018112058.tif 000006
【図５】
2018112058.tif 000007
【図６】
2018112058.tif 000008
【図７】
2018112058.tif 000009
【図８】
2018112058.tif 000010
【図９】
2018112058.tif 000011
【図１０】
2018112058.tif 000012
【図１１】
2018112058.tif 000013
【外国語明細書】
2018112058000001.pdf